(57)【特許請求の範囲】
【請求項１】
下記を具備する、ピコネット管理装置（ＰＮＣ）の役割を引き受けることが可能な装置において行われる無線通信の方法：
第１のピコネット内の第１のノードから、前記第１のピコネット内の複数の資源の割り当てに関するタイミング情報を含む第１の同期パケットを受信すること、ここにおいて、前記第１のノードは、ピコネット管理装置（ＰＮＣ）として機能していないノードを具備する；
前記タイミング情報に基づいて、前記第１のピコネット内の複数のノードのために割り当てられた複数の送信時間に対応する複数の干渉タイムスロットを決定すること；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立すること。
【請求項２】
更に下記を具備する、請求項１に記載の方法：
前記第１のピコネット内の複数の送信との潜在的な干渉を検出するために、前記第２のピコネット内の複数のノードからの複数の送信を周期的にモニターすること；及び
前記第１のピコネット内の複数の送信との干渉を回避するために前記第２のピコネット内の前記複数の資源の割り当てを調整すること。
【請求項３】
更に下記を具備する、請求項１に記載の方法：
第３のピコネット内の１つ又は複数のノードから、前記第３のピコネット内の複数の資源の割り当てに関するタイミング情報を含む複数の同期パケットを受信すること；
前記第３のピコネットに関連する前記タイミング情報に基づいて、前記第３のピコネット内の前記複数のノードのために割り当てられた複数の送信時間に対応する複数の干渉タイムスロットを決定すること；及び
前記第３のピコネット内の前記複数のノードのために割り当てられた複数の送信時間に対応する前記複数の決定された干渉タイムスロットに基づいて、前記第２のピコネット内の前記複数の資源の割り当てを調整すること。
【請求項４】
前記第１及び第３のピコネット内の複数のノードから受信された複数の同期パケットに含まれる対応する複数のピコネット管理装置（ＰＮＣ）アドレス値に基づいて、前記第１のピコネットのＰＮＣのタイミングに同期するか、又は前記第３のピコネットのＰＮＣのタイミングに同期するかを選択することを更に具備する、請求項３に記載の方法。
【請求項５】
前記第１のノードは、アクセス端末を具備する、請求項１に記載の方法。
【請求項６】
前記第１の同期パケットは、前記第１のピコネット内で送信されるフレームのプリアンブルの開始時間を示すタイムスタンプを具備する、請求項１に記載の方法。
【請求項７】
更に下記を具備する、請求項６に記載の方法：
前記第１の同期パケットが受信された時間と前記タイムスタンプによって示される時間との間の差に基づいて、複数のレンジング・オペレーションを行うこと。
【請求項８】
下記を具備する、ピコネット管理装置（ＰＮＣ）の役割を引き受けることが可能な無線通信のための装置：
第１のピコネット内の第１のノードから、前記第１のピコネット内の複数の資源の割り当てに関するタイミング情報を含む第１の同期パケットを受信するように構成される受信機、ここにおいて、前記第１のノードは、ピコネット管理装置（ＰＮＣ）として機能していないノードを具備する；
前記タイミング情報に基づいて、前記第１のピコネット内の複数のノードのために割り当てられた複数の送信時間に対応する複数の干渉タイムスロットを決定するように構成されるスケジューラ；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立するように構成されるロジック。
【請求項９】
更に下記を具備する、請求項８に記載の装置：
前記第１のピコネット内の複数の送信との潜在的な干渉を検出するために前記第２のピコネット内の複数のノードからの複数の送信を周期的にモニターし、前記第１のピコネット内の複数の送信との干渉を回避するために前記第２のピコネット内の前記複数のリソースの割り当てを調整するように構成されるロジック。
【請求項１０】
前記受信機は、第３のピコネット内の１つ又は複数のノードから、前記第３のピコネット内の複数の資源の割り当てに関するタイミング情報を含む複数の同期パケットを受信するように更に構成され、
前記スケジューラは、前記第３のピコネットに関連する前記タイミング情報に基づいて、前記第３のピコネット内の前記複数のノードのために割り当てられた複数の送信時間に対応する複数の干渉タイムスロットを決定するように構成され、及び
前記装置は、前記第３のピコネット内の前記複数のノードのために割り当てられた複数の送信時間に対応する前記複数の決定された干渉タイムスロットに基づいて、前記第２のピコネット内の前記複数の資源の割り当てを調整するように構成されるロジックを更に具備する、請求項８に記載の装置。
【請求項１１】
前記第１及び第３のピコネット内の複数のノードから受信された複数の同期パケットに含まれる対応する複数のピコネット管理装置（ＰＮＣ）アドレス値に基づいて、前記第１のピコネットのＰＮＣのタイミングに同期するか、又は前記第３のピコネットのＰＮＣのタイミングに同期するかを選択するように構成されるロジックを更に具備する、請求項１０に記載の装置。
【請求項１２】
前記第１のノードは、アクセス端末を具備する、請求項８に記載の装置。
【請求項１３】
前記第１の同期パケットは、前記第１のピコネット内で送信されるフレームのプリアンブルの開始時間を示すタイムスタンプを具備する、請求項８に記載の装置。
【請求項１４】
更に下記を具備する、請求項１３に記載の装置：
前記第１の同期パケットが受信された時間と前記タイムスタンプによって示される時間との間の差に基づいて、複数のレンジング・オペレーションを行うように構成されるレンジング・ロジック。
【請求項１５】
下記を具備する、ピコネット管理装置（ＰＮＣ）の役割を引き受けることが可能な無線通信のための装置：
第１のピコネット内の第１のノードから、前記第１のピコネット内の複数の資源の割り当てに関するタイミング情報を含む第１の同期パケットを受信する手段、ここにおいて、前記第１のノードは、ピコネット管理装置（ＰＮＣ）として機能していないノードを具備する；
前記タイミング情報に基づいて、前記第１のピコネット内の複数のノードのために割り当てられた複数の送信時間に対応する複数の干渉タイムスロットを決定する手段；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立する手段。
【請求項１６】
更に下記を具備する、請求項１５に記載の装置：
前記第１のピコネット内の複数の送信との潜在的な干渉を検出するために、前記第２のピコネット内の複数のノードからの複数の送信を周期的にモニターする手段；及び
前記第１のピコネット内の複数の送信との干渉を回避するために前記第２のピコネット内の前記複数の資源の割り当てを調整する手段。
【請求項１７】
更に下記を具備する、請求項１５に記載の装置：
第３のピコネット内の１つ又は複数のノードから、前記第３のピコネット内の複数の資源の割り当てに関するタイミング情報を含む複数の同期パケットを受信する手段；
前記第３のピコネットに関連する前記タイミング情報に基づいて、前記第３のピコネット内の前記複数のノードのために割り当てられた複数の送信時間に対応する複数の干渉タイムスロットを決定する手段；及び
前記第３のピコネット内の前記複数のノードのために割り当てられた複数の送信時間に対応する前記複数の決定された干渉タイムスロットに基づいて、前記第２のピコネット内の前記複数の資源の割り当てを調整する手段。
【請求項１８】
前記第１及び第３のピコネット内の複数のノードから受信された複数の同期パケットに含まれる対応する複数のピコネット管理装置（ＰＮＣ）アドレス値に基づいて、前記第１のピコネットのＰＮＣのタイミングに同期するか、又は前記第３のピコネットのＰＮＣのタイミングに同期するかを選択する手段を更に具備する、請求項１７に記載の装置。
【請求項１９】
前記第１のノードは、アクセス端末を具備する、請求項１５に記載の装置。
【請求項２０】
前記第１の同期パケットは、前記第１のピコネット内で送信されるフレームのプリアンブルの開始時間を示すタイムスタンプを具備する、請求項１５に記載の装置。
【請求項２１】
更に下記を具備する、請求項２０に記載の装置：
前記第１の同期パケットが受信された時間と前記タイムスタンプによって示される時間との間の差に基づいて、複数のレンジング・オペレーションを行う手段。
【請求項２２】
下記を具備する、ピコネット管理装置（ＰＮＣ）の役割を引き受けることが可能な無線ノード：
少なくとも１つのアンテナ；
第１のピコネット内の第１のノードから、前記第１のピコネット内の複数の資源の割り当てに関するタイミング情報を含む第１の同期パケットを、前記少なくとも１つのアンテナを介して受信するように構成される受信機、ここにおいて、前記第１のノードは、ピコネット管理装置（ＰＮＣ）として機能していないノードを具備する；
前記タイミング情報に基づいて、前記第１のピコネット内の複数のノードのために割り当てられた複数の送信時間に対応する複数の干渉タイムスロットを決定するように構成されるスケジューラ；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立するように構成されるロジック。
【請求項２３】
コンピュータに下記を実行させるためのコードを具備するプログラムを記憶した、ピコネット管理装置（ＰＮＣ）の役割を引き受けることが可能な装置におけるコンピュータ可読記憶媒体：
第１のピコネット内の第１のノードから、前記第１のピコネット内の複数の資源の割り当てに関するタイミング情報を含む第１の同期パケットを受信すること、ここにおいて、前記第１のノードは、ピコネット管理装置（ＰＮＣ）として機能していないノードを具備する；
前記タイミング情報に基づいて、前記第１のピコネット内の複数のノードのために割り当てられた複数の送信時間に対応する複数の干渉タイムスロットを決定すること；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立すること。
【発明の詳細な説明】
【関連出願への相互参照】
【０００１】
本出願は、ここにその全体を参考として組み込まれる、２００８年１１月１１日に出願された米国仮特許出願第６１／１１３，４３６号の利益を主張するものである。
【技術分野】
【０００２】
本発明は、全般的に無線通信に関し、特に、一般にピコネットと称されるパーソナル・エリア・ネットワーク（ＰＡＮ）及びローカル・エリア・ネットワーク（ＬＡＮ）のような無線ネットワークに関する。
【背景技術】
【０００３】
「ピコネット（piconet）」は、一般に「アクセス端末」、「アクセス・ポイント」、あるいは互いに近接している（in close proximity）そのような両方のデバイスなどの無線デバイスのグループから構成される無線パーソナル・エリア・ネットワークと定義されている。ピコネットは、典型的に、そのピコネット内の他のアクセス端末のために通信媒体へのアクセスをスケジュールするマスタ端末として機能するピコネット管理装置(Piconet Coordinator)（ＰＮＣ）の役割を引き受けるアクセス・ポイントによって制御される。フレームは、ピコネット内でのデータ伝送の基本単位であり、それは、データ、肯定応答、ビーコン（beacon）及びＭＡＣコマンドフレームを含むことができる。
【０００４】
ＰＮＣはまた、境界として機能し且つ他のデバイスに同期を提供するビーコンを有する、複数のフレームから構成されるスーパーフレーム構造を定義することができる。ＩＥＥＥ８０２．１５．３規格は、ピコネット内のＰＮＣと端末との間のデータ交換を同期するために、ＰＮＣがビーコンを送ることを明記している。ビーコンは、スーパーフレームの開始を信号で伝え、各端末がビーコンのプリアンブルの始まりにおいてそのスーパーフレーム・クロックをゼロにリセットすることを可能にする。
【０００５】
ＩＥＥＥ８０２.１５.３規格のある草案は、全てのＰＮＣ機能を有するデバイス（PNC capable devices）が、ＰＮＣとして機能する時に、各スーパーフレームにおいて共通レートのビーコンを送信するものとし、また全てのＰＮＣ機能を有するデバイスが、共通レートのビーコン及びコマンドフレームを受信できるものとすることを義務づけている。この仕組みは、ＰＮＣ機能を有するデバイスが、既存のピコネットに気がつくことを可能にするよう設計されており、そしてそれは、それらが参加（join）することを可能にし、更に重要なことには、それらが、両方のピコネットの範囲内に在るデバイスに干渉を引き起こし得る独立したピコネットを形成するのを防ぐ。
【０００６】
不運にも、既存のピコネットの幾つかのデバイスの範囲内の、ＰＮＣ機能を有するデバイスは、該ピコネットのＰＮＣの範囲内に存在しないことがあり得る。その結果、そのようなデバイス（それは、「隠れノード（hidden node）」と称され得る）は、ビーコンを検出することができず、それが、既存のピコネットに参加するのを妨げる。なお一層問題なのは、隠れノードが独立したピコネットを形成し、両方のピコネットの範囲内に在るデバイスに干渉を引き起こし得ることである。
【発明の概要】
【０００７】
本開示のある態様は、無線通信の方法を提供する。該方法は、一般に、第１のピコネット内の第１のノードから、第１のピコネット内の複数の資源の割り当てに関するタイミング情報を含む第１の同期パケットを受信することと、タイミング情報に基づいて、第１のピコネット内の複数のノードのために割り当てられた複数の送信時間に対応する複数の干渉タイムスロットを決定することと、第１のピコネット内の複数のノードのために割り当てられた複数の送信時間に対応する複数の決定された干渉タイムスロットに基づいて、第２のピコネット内の複数のノードに複数の利用可能な資源を割り当てることによって第２のピコネットを確立することとを含む。
【０００８】
本開示のある態様は、無線通信のための装置を提供する。該装置は、一般に、第１のピコネット内の第１のノードから、第１のピコネット内の複数の資源の割り当てに関するタイミング情報を含む第１の同期パケットを受信するように構成される受信機と、タイミング情報に基づいて、第１のピコネット内の複数のノードのために割り当てられた複数の送信時間に対応する複数の干渉タイムスロットを決定するように構成されるスケジューラと、第１のピコネット内の複数のノードのために割り当てられた複数の送信時間に対応する複数の決定された干渉タイムスロットに基づいて、第２のピコネット内の複数のノードに複数の利用可能な資源を割り当てることによって第２のピコネットを確立するように構成されるロジックとを含む。
【０００９】
本開示のある態様は、無線通信のための装置を提供する。該装置は、一般に、第１のピコネット内の第１のノードから、第１のピコネット内の複数の資源の割り当てに関するタイミング情報を含む第１の同期パケットを受信する手段と、タイミング情報に基づいて、第１のピコネット内の複数のノードのために割り当てられた複数の送信時間に対応する複数の干渉タイムスロットを決定する手段と、第１のピコネット内の複数のノードのために割り当てられた複数の送信時間に対応する複数の決定された干渉タイムスロットに基づいて、第２のピコネット内の複数のノードに複数の利用可能な資源を割り当てることによって第２のピコネットを確立する手段とを含む。
【００１０】
本開示のある態様は、ピコネット管理装置（ＰＮＣ）の役割を引き受けることが可能な無線ノードを提供する。該無線ノードは、一般に、少なくとも１つのアンテナと、第１のピコネット内の第１のノードから、第１のピコネット内の複数の資源の割り当てに関するタイミング情報を含む第１の同期パケットを、少なくとも１つのアンテナを介して受信するように構成される受信機と、タイミング情報に基づいて、第１のピコネット内の複数のノードのために割り当てられた複数の送信時間に対応する複数の干渉タイムスロットを決定するように構成されるスケジューラと、第１のピコネット内の複数のノードのために割り当てられた複数の送信時間に対応する複数の決定された干渉タイムスロットに基づいて、第２のピコネット内の複数のノードに複数の利用可能な資源を割り当てることによって第２のピコネットを確立するように構成されるロジックとを含む。
【００１１】
本開示のある態様は、複数の命令を備えたコンピュータ可読媒体を具備する、通信のためのコンピュータプログラム製品を提供する。該複数の命令は、一般に、第１のピコネット内の第１のノードから、第１のピコネット内の複数の資源の割り当てに関するタイミング情報を含む第１の同期パケットを受信し、タイミング情報に基づいて、第１のピコネット内の複数のノードのために割り当てられた複数の送信時間に対応する複数の干渉タイムスロットを決定し、第１のピコネット内の複数のノードのために割り当てられた複数の送信時間に対応する複数の決定された干渉タイムスロットに基づいて、第２のピコネット内の複数のノードに複数の利用可能な資源を割り当てることによって第２のピコネットを確立するために実行可能である。
【００１２】
本開示のある態様は、無線通信の方法を提供する。該方法は、一般に、無線配信された映像を受信する宛先ノードのために複数のレンジング・オペレーションを行うことと、複数のレンジング・オペレーションの複数の結果に基づいて、無線配信された映像の帯域幅又は解像度のうちの少なくも１つを調整することとを含む。
【００１３】
本開示のある態様は、無線通信のための装置を提供する。該装置は、一般に、無線配信された映像を受信する宛先ノードのために複数のレンジング・オペレーションを行うように構成されるレンジング・ロジックと、複数のレンジング・オペレーションの複数の結果に基づいて、無線配信された映像の帯域幅又は解像度のうちの少なくも１つを調整するように構成される調整ロジックとを含む。
【００１４】
本開示のある態様は、無線通信のための装置を提供する。該装置は、一般に、無線配信された映像を受信する宛先ノードのために複数のレンジング・オペレーションを行う手段と、複数のレンジング・オペレーションの複数の結果に基づいて、無線配信された映像の帯域幅又は解像度のうちの少なくも１つを調整する手段とを含む。
【００１５】
本開示のある態様は、無線映像ソースを提供する。該無線映像ソースは、一般に、少なくとも１つのアンテナと、無線配信された映像を受信する宛先ノードのために、少なくとも１つのアンテナを介して受信された複数のパケットに基づいて、複数のレンジング・オペレーションを行うように構成されるレンジング・ロジックと、複数のレンジング・オペレーションの複数の結果に基づいて、無線配信された映像の帯域幅又は解像度のうちの少なくも１つを調整するように構成される調整ロジックとを含む。
【００１６】
本開示のある態様は、複数の命令を備えたコンピュータ可読媒体を具備する、通信のためのコンピュータプログラム製品を提供する。該複数の命令は、一般に、無線配信された映像を受信する宛先ノードのために複数のレンジング・オペレーションを行い、複数のレンジング・オペレーションの複数の結果に基づいて、無線配信された映像の帯域幅又は解像度のうちの少なくも１つを調整するために実行可能である。
【図面の簡単な説明】
【００１７】
【図１】図１は、本開示のある態様に従って、実例的なピコネットを例示する図。
【図２】図２は、本開示のある態様に従って、ピコネット端末の実例的な構成要素を例示する図。
【図３】図３は、ピコネットに含まれていない近くの端末と共に、実例的なピコネットを例示する図。
【図４】図４は、ピコネット内の端末とピコネットに含まれていない近くの端末との間の干渉の例を例示する概念図。
【図５】図５は、本開示のある態様に従って、統一（unified）同期パケットを送信するための実例的なオペレーションを例示する図。
【図５Ａ】図５Ａは、図５に示されるオペレーションを行うことができる実例的な構成要素を例示する図。
【図６】図６は、本開示のある態様に従って、検出された統一同期パケットを処理するための実例的なオペレーションを例示する図。
【図６Ａ】図６Ａは、図６に示されるオペレーションを行うことができる実例的な構成要素を例示する図。
【図７】図７は、本開示のある態様に従って、別のピコネットに実質的に（virtually）従属するピコネットの例を例示する図。
【図８】図８は、本開示のある態様に従って、実例的な同期フレーム形式を例示する図。
【図９】図９は、本開示のある態様に従って、実例的な同期フレームボディ形式を例示する図。
【図１０】図１０は、本開示のある態様に従って、実例的な同期パラメータフィールド形式を例示する図。
【図１１】図１１は、既存のピコネットの存在を検出するために同期フレームを使用する候補ピコネット管理装置（ＰＮＣ）の例を例示する図。
【図１２】図１２は、本開示のある態様に従って、同期フレームの送信をスケジューリングするための実例的なオペレーションを例示する図。
【図１２Ａ】図１２Ａは、図１２に示されるオペレーションを行なうことができる実例的な構成要素を例示する図。
【図１３】図１３は、本開示のある態様に従って、複数の実質的に従属するピコネットの例を例示する図。
【図１４】図１４は、本開示のある態様に従って、同期パケットのタイムスタンプを使用する実例的な距離計算（range calculation）を例示する図。
【図１５】図１５は、本開示のある態様に従って、レンジング（ranging）のための実例的なオペレーションを例示する図。
【図１５Ａ】図１５Ａは、図１５に示されるオペレーションを行なうことができる実例的な構成要素を例示する図。
【発明を実施するための形態】
【００１８】
本開示のある態様の様々な態様が、以下に記述される。ここでの教示が広く多様な形式で具体化されることができ、そしてここに開示される任意の特定の構造、機能、あるいはその両方が単に代表的であることは、明白であるべきである。ここでの教示に基づいて、当業者は、ここに開示される態様が、その他任意の態様とは独立してインプリメントされることができ、またこれらの態様の２つ以上は、様々な方法で組み合わされ得ることを理解するべきである。例えば、ここに記載される任意の数の態様を使用して、方法は、実施されることができ、あるいは装置は、インプリメントされることができる。その上、ここに記載される態様の１つ以上に加えて、又はそれ以外に、他の構造、機能、又は構造と機能を用いて、そのような方法は、実施されることができ、あるいはそのような装置は、インプリメントされることができる。更に、態様は、請求項の少なくとも1つの要素を含むことができる。
【００１９】
「典型的」という言葉は、ここで、「例、実例、及び例証を提供する」という意味で用いられる。ここで「典型的」であると記述された任意の態様は、他の態様に対して、必ずしも好ましい又は有利であるようには解釈されない。
【００２０】
次の詳細な説明においては、本発明の様々な態様が、ＩＥＥＥ８０２.１５規格ファミリー（採用された、又は提案された）に従って、「ピコネット」又は無線システムの文脈において記述されることができる。これらの発明の態様（inventive aspects）は、アクセス・ポイント（ＡＰ）が、ピコネット管理装置（ＰＮＣ）として機能することができるそのようなネットワークでの使用に適している一方で、これらの発明の態様は、任意のタイプのアクセス・ポイント（ＡＰ）及びアクセス端末（ＡＴ）を利用する他の様々な通信環境（限定はされないが、ＩＥＥＥ８０２．１１規格ファミリーに従うネットワークを含む）での使用に対して同様に適用可能であり、また実際に、異なる規格に対応するネットワークがよりよく共存することを可能にすることを、当業者は容易に理解するであろう。従って、ＩＥＥＥ８０２.１５に対応するネットワークへの任意の参照は、そのような発明の態様は、幅広い適用の範囲を有するという理解と共に、発明の態様を単に例示するように意図される。
【００２１】
ここでの教示は、様々な有線又は無線の装置（例えば、ノード）に組み込まれる（例えば、内部にインプリメントされる、あるいはそれらによって行われる）ことができる。幾つかの態様では、ここでの教示に従ってインプリメントされるノードは、アクセス・ポイント又はアクセス端末を具備することができる。
【００２２】
アクセス・ポイント（「ＡＰ」）は、ノードＢ、無線ネットワーク制御装置（「ＲＮＣ」）、発展型ノードＢ（eNodeB）、基地局制御装置（「ＢＳＣ」）、ベーストランシーバ基地局（「ＢＴＳ」）、基地局（「ＢＳ」）、トランシーバ機能（Transceiver Function）（「ＴＦ」）、無線ルータ、無線トランシーバ、基本サービスセット（「ＢＳＳ」）、拡張サービスセット（「ＥＳＳ」）、無線基地局（「ＲＢＳ」）、又は何か他の用語として、知られているか、インプリメントされるか、あるいはそれらを具備することができる。
【００２３】
アクセス端末（「ＡＴ」）は、アクセス端末、加入者局、加入者ユニット、移動局、遠隔局、遠隔端末、ユーザ端末、ユーザ・エージェント、ユーザ・デバイス、ユーザ機器、又は何か他の用語として、知られているか、インプリメントされるか、あるいはそれらを具備することができる。幾つかのインプリメンテーションでは、アクセス端末は、携帯電話、コードレス電話、セッション開始プロトコル（「ＳＩＰ」）電話、無線ローカル・ループ（「ＷＬＬ」）局、携帯情報端末（「ＰＤＡ」）、無線接続能力を有するハンドヘルドデバイス、又は無線モデムに接続された何か他の適切な処理デバイスを具備することができる。従って、ここに教示される1つ以上の態様は、電話（例えば、携帯電話又はスマートフォン）、コンピュータ（例えば、ラップトップ）、携帯用通信デバイス、携帯用コンピューティング・デバイス（例えば、携帯情報端末）、娯楽デバイス（例えば、音楽又は映像のデバイス、あるいは衛星ラジオ）、全地球測位システム・デバイス、あるいは有線又は無線の媒体を介して通信するように構成されるその他任意の適切なデバイスに組み込まれることができる。
【００２４】
幾つかの態様においては、該ノードは、無線ノードである。そのような無線ノードは、例えば、有線又は無線の通信リンクを介するネットワーク（例えば、パーソナル・エリア・ネットワーク又はピコネット、インターネットのような広域ネットワーク、あるいはセルラー・ネットワーク）のために、又は該ネットワークへの、接続性を提供することができる。
【００２５】
実例的なピコネット
図１は、実例的なピコネット（ピコネット１）を例示する。示されているように、ピコネット１は、比較的短距離の無線リンク１０４を使用して互いに通信し合うことができる多くの無線デバイス１０２、即ち「端末」１Ａ−１Ｅを含むことができる。例示されている例では、端末１Ｅは、ピコネット１のためのＰＮＣとして機能する。５つのデバイスを用いて例示されているが、任意の数のデバイス（例えば、２つ以上）が、無線パーソナル・エリア・ネットワークを形成できることが理解されるべきである。
【００２６】
ピコネット１内の各々の端末１０２は、取り分け、無線通信をサポートするためのトランシーバと、ネットワークとの通信を管理するための制御装置機能とを含むことができる。該制御装置機能は、１つ以上のデジタル処理デバイス内でインプリメントされることができる。無線トランシーバは、無線チャネルからの信号の受信、及び無線チャネルへの信号の送信を容易にするために、１つ以上のアンテナに結合されることができる。任意のタイプのアンテナが、使用されることができ、例えば、ダイポール（dipole）、パッチ（patch）、ヘリカルアンテナ、アンテナアレー（antenna arrays）及び/又はその他を含む。
【００２７】
ピコネット１内のデバイスは、広く多様な異なるデバイスタイプのうちの何れを含むことができ、例えば、無線ネットワーキング機能を有するラップトップ、デスクトップ、パームトップ（palmtop）又はタブレット・コンピュータ、無線ネットワーキング能力を有するコンピュータ周辺機器、無線ネットワーキング能力を有する携帯情報端末（ＰＤＡ）、携帯電話及び他のハンドヘルド無線通信機、ページャー、より大きなシステムに組み込まれた無線ネットワーク・インタフェース・モジュール（例えば、無線ネットワーク・インタフェース・カード等）、無線ネットワーキング能力を有するマルチメディア・デバイス、無線ネットワーキング能力を有するオーディオ/ビジュアル・デバイス、無線ネットワーキング能力を有する家庭用電気機器、無線ネットワーキング能力を有する宝飾品（jewelry）あるいは他の着用可能な（wearable）アイテム、無線ユニバーサル・シリアル・バス（ＵＳＢ）デバイス、無線デジタル画像処理デバイス（例えば、デジタルカメラ、カムコーダ等）、無線プリンタ、無線家庭用娯楽機器システム（例えば、ＤＶＤ／ＣＤプレーヤー、テレビ、ＭＰ３プレーヤー、オーディオ・デバイス等）及び／又はその他を含む。１つの構成においては、例えば、無線パーソナル・エリア・ネットワークは、短距離ネットワークにおけるユーザの携帯情報端末（ＰＤＡ）及びユーザのプリンタと無線で通信しているユーザのラップトップ・コンピュータを含むことができる。別の可能な構成においては、無線パーソナル・エリア・ネットワークは、例えば、ユーザの居間における、様々なオーディオ／ビジュアル・デバイス間で形成されることができる。更に別の可能な構成においては、ユーザのラップトップ・コンピュータは、ユーザに近接している他のユーザに関連する端末と通信することができる。他の多くのシナリオもまた、可能である。
【００２８】
複数の標準規格が開発されており、無線パーソナル・エリア・ネットワーク（例えば、Ｂｌｕｅｔｏｏｔｈ（登録商標）規格（Ｂｌｕｅｔｏｏｔｈ（登録商標）システムの仕様、バージョン１．２、Ｂｌｕｅｔｏｏｔｈ（登録商標）  ＳＩＧ、Ｉｎｃ．、２００３年１１月）、ＩＥＥＥ８０２．１５規格等）の一部として動作することができる相互運用可能な製品の開発をサポートする枠組みを提供するために現在開発中である。例えば、ＩＥＥＥ８０２．１５．３規格は、高いデータレートの無線パーソナル・エリア・ネットワーク規格である。ＩＥＥＥ８０２．１５．３規格に従って、ピコネット内の端末のうちの１つが、ネットワークのオペレーションを管理するためのピコネット管理装置（ＰＮＣ）として選択される。例えば、図１を参照して、デバイスＰＮＣ  １Ｅは、ＩＥＥＥ８０２．１５．３のインプリメンテーションにおける、ピコネット１のためのＰＮＣを表わしている。
【００２９】
示されているように、ＰＮＣ  １Ｅは、ピコネット１の他のデバイスにビーコン信号１１０（又は、単に「ビーコン」）を送信することができ、それは、ピコネット１内の他の端末が、それらのタイミングをＰＮＣ  １Ｅと同期するのに役立つことができる。従って、該ビーコン（通常は、各スーパーフレームの始まりで伝送される）は、ピコネット内の端末を時間−同期（time-synchronize）するために使用され得る情報を含む。ＰＮＣを含む、ピコネット内の各端末は、ビーコンのプリアンブルの始まりでそのスーパーフレーム・クロックをゼロにリセットすることができる。端末にビーコンが聞こえない場合には、それは、（例えば、前のスーパーフレームのタイミングに基づいて）ビーコンのプリアンブルの始まりを聞くことが予期される瞬間において、そのスーパーフレーム・クロックをゼロにリセットすることができる。
【００３０】
実例的な端末構成要素
図２は、本開示のある態様に従って、オペレーションを行うことが可能な端末１０２の実例的な構成要素を例示する。当業者が理解するであろうように、端末１０２の明確な構成は、特定のアプリケーション及び全体の設計制約によって変化することができ、またここに示されるオペレーションを行うことが可能な任意の適切な構成要素の組み合わせが、利用されることができる。
【００３１】
例示されている実例的な構成では、端末１０２は、アンテナ２１０に結合されたフロントエンド・トランシーバ２００を用いてインプリメントされることができる。ベースバンド・プロセッサ２２０は、トランシーバ２００に結合されることができる。ベースバンド・プロセッサ２２０は、ソフトウェアに基づくアーキテクチャか、あるいは別のタイプのアーキテクチャを用いてインプリメントされることができる。ソフトウェアに基づくアーキテクチャは、取り分け、端末にピコネット内のマスタ又はメンバのどちらかの端末として動作することを可能にする、エグゼクティブ・コントロール及び全システムの管理機能を提供するソフトウェア・プログラムを実行するためのプラットフォームとして機能するマイクロプロセッサ（示されていない）を用いて構成されることができる。ベースバンド・プロセッサ２２０はまた、マイクロプロセッサに対する処理要求を減らすための特定用途向けアルゴリズムを実行する、組み込まれた通信ソフトウェア層を有するデジタル信号プロセサ（ＤＳＰ）（示されていない）を含むことができる。ＤＳＰは、パイロット信号の取得、時間同期、周波数トラッキング（frequency tracking）、スペクトラム拡散処理、変調と復調の機能、及び前方誤り訂正（forward error correction）のような、様々な信号処理機能を提供するために使用されることができる。
【００３２】
トランシーバ２００と共にベースバンド・プロセッサ２２０が示されている。トランシーバ２００は、受信機２０２を含むことができる。受信機２０２は、ノイズ及び干渉の存在下での希望信号の検出を提供する。受信機２０２は、希望信号を抽出し、そしてそれらを、該受信された信号に含まれる情報がベースバンド・プロセッサ２２０によって処理され得るレベルまで増幅するために使用されることができる。
【００３３】
トランシーバ２００はまた、送信機２０４を含むことができる。送信機２０４は、ベースバンド・プロセッサ２２０からの情報をキャリア周波数上に変調するために使用されることができる。変調されたキャリアは、ＲＦ周波数にアップコンバートされ（upconverted）、そしてアンテナ２１０を介する自由空間（free space）への放射に十分なパワーレベルまで増幅されることができる。
【００３４】
ベースバンド・プロセッサ２２０は、パイロット信号の取得処理の結果に応じて、端末をピコネットのマスタ又はメンバ端末として構成することを担当することができる。ベースバンド・プロセッサ２２０が、ピコネットのメンバ端末として端末を構成する時には、受信側の信号プロセッサ２２８は、ピコネットのマスタ端末によって１つ以上の制御チャネルにわたって同報通信で送られるスケジューリング情報を抽出するために使用されることができる。信号プロセッサ２２８は、制御チャネルから適切なスケジューリング情報を抽出し、そしてそれを処理するための制御装置２３０に提供するために、スペクトラム拡散処理をデジタル復調及び前方誤り訂正の技術と組み合わせて使用することができる。制御装置２３０は、それぞれに関するパワーレベル及びデータレートと同様に、メンバ端末から及びメンバ端末への様々な送信に対するタイムスロットを決定するために、スケジューリング情報を使用することができる。
【００３５】
受信モードでは、制御装置２３０は、メンバ端末へのスケジュールされた送信のために、受信側での信号プロセッサ２２８にデータレートと拡散情報を提供するために使用されることができる。この情報を使用して、信号プロセッサ７０６は、適切な時に他の端末からの送信に組み込まれた情報を回復し、該回復された情報を様々なユーザインタフェースに提供することができる。
【００３６】
送信側での信号プロセッサ２２８は、他の様々な端末に行き先を定められた情報を拡散するために使用されることができる。該情報は、様々なユーザインタフェースから生じ、そしてスケジュールされた送信までバッファ２２２中に格納されることができる。スケジュールされた時間において、制御装置２３０は、スペクトラム拡散処理のために該情報をバッファ２２２から信号プロセッサ２２８へ放出するために使用されることができる。信号プロセッサ２２８はまた、デジタル変調及び前方誤り訂正の技術を使用することができる。送信のパワーレベル、データレート及び拡散符号（spreading code）は、制御装置２３０によって信号プロセッサ２２８にプログラムされることができる。あるいは、送信パワーレベルは、制御装置２３０によって、トランシーバ２００中の送信機２０４においてプログラムされることができる。
【００３７】
ベースバンド・プロセッサ２２０が、ピコネットのマスタ端末として端末を構成する時には、それは、スケジューラ２２４を動作させることができる。ベースバンド・プロセッサ２２０のソフトウェアに基づくインプリメンテーションにおいては、スケジューラ２２４は、マイクロプロセッサ上で動作するソフトウェア・プログラムであることができる。しかしながら、当業者が容易に理解するであろうように、スケジューラ２２４は、この態様に限定されず、ここに記述される様々な機能を行うことが可能な、ハードウェア構成、ファームウェア構成、ソフトウェア構成、又はそれらの組み合わせを含む、当該技術分野で知られている他の手段によってインプリメントされることができる。
【００３８】
スケジューラ２２４は、ピコネット内（intra-piconet）通信をサポートするためのスケジューリング情報を生成するために使用されることができる。該スケジューリング情報は、任意の数の考察（consideration）に基づいて、及び／又は任意の既知のスケジューリング・アルゴリズムに従って、導出されることができる。例として、スケジューリング情報は、優先システムに基づいて作成されることができ、ここで音声通信は、高遅延通信に優先する。スケジューラ２２４はまた、スループットを最大にするために、高いデータレート送信を優先することができる。スループットの更なる増加は、スペクトラム拡散技術を使用して並列伝送をスケジュールすることにより達成されることができる。並列通信に従事するであろう複数の対の端末を慎重に選択することによって、ピコネット内の干渉は管理されることができる。そのような対の端末の間で伝送されるデータ量と、そのような対の端末によって既に経験された遅延とを考慮する公平性の基準（fairness criterion）もまた、考慮されることができる。その他の要素も考慮され、本発明の範囲内であることができる。当業者は、任意の特定のピコネットアプリケーションに対して既存のスケジューリング・アルゴリズムを容易に適合させることができるであろう。
【００３９】
標準的なビーコンの制限の克服
図３は、該ピコネット内に含まれていない近くの端末１０２を有するピコネット１００（ピコネット１）の例を例示する概念図である。ピコネット１００は、部分的メッシュ・トポロジー（partial mesh topology）を用いたメッシュ・ネットワークであると考えられることができる。部分的メッシュ・ネットワークとは、一般に、他の全てのノードに接続される一部のノード（例えば、ＰＮＣ）と、それが最多のデータを交換する他のノードだけに接続される一部のノード（例えば、ＤＥＶ）とを有するローカル・エリア・ネットワーク（ＬＡＮ）を称する。ここに記述されるように、ピコネットのタイミング情報を含む同期パケットの送信は、そのようなメッシュ・ネットワークを確立し且つ維持するのを支援するために使用されることができる。
【００４０】
該例示されている例は、近くの端末ＰＮＣ  ２Ａ、ＤＥＶ  ２Ｘ及びＤＥＶ  ２Ｙは、ピコネット１に比較的近接して（in relatively close proximity）配置されているが、ＰＮＣ  ２Ａは、ＰＮＣ  １Ｅからの送信の範囲外に在ると仮定する。該例は更に、ＰＮＣ  ２Ａは、ＤＥＶ  １Ｃ及びＤＥＶ  １Ｄの送信範囲内に在ると仮定する。
【００４１】
ＰＮＣ  ２Ａは、（図３で「×」によって示されているように）ＰＮＣ  １Ｅからの何れのビーコン信号１１０も受信しないので、ＰＮＣ  ２Ａは、ピコネット１内の周波数／タイムスロットの割り当てを認識していない（unaware）。その結果、ＰＮＣ  ２Ａは、ピコネット１内で割り当てられた周波数／タイムスロットの１つ以上において送信を試みることがあり得る。例えば、ＰＮＣ  ２Ａは、ピコネット１に気がつかずに、端末２Ｘ及び２Ｙを有する第２のピコネット（ピコネット２）を形成することができる。ピコネット２の形成は、異なるピコネット内の端末からの送信が干渉し得る干渉ゾーン３００を結果として生じ得る。例示されている例では、ピコネット１に含まれる端末  １Ｃ及び１Ｄはまた、ピコネット２の範囲内に在り、従って、同じ周波数/タイムスロットにおけるピコネット２からの衝突する送信による干渉を経験し得る。
【００４２】
しかしながら、本開示のある態様は、ピコネットに含まれる全てのタイプの端末（例えば、ＰＮＣとして機能する端末だけではなく）に、ピコネットに関する同期データを含むここで統一(unified)同期パケットと称されるビーコン信号を送信させることによって、この問題を克服することができる。全てのタイプの端末に同期パケットを送信させることによって、既存のピコネット（及び、既存のピコネットの端末に割り当てられた資源）を検出することが可能なデバイスの範囲は、ＰＮＣのみが同期ビーコンを送信する標準的な状況と比較して、著しく拡大されることができる。言い換えれば、以前は近くのピコネットのＰＮＣから「隠れていた（hidden）」ノードが、範囲内の非ＰＮＣ端末から送信されたこれらの同期パケットの検出によって、該ピコネットのことを知ることができる。その結果、統一同期パケットは、既存のピコネットの近接にある端末が、既存のピコネット内のデバイスに割り当てられたのと同じ周波数/タイムスロットにおいて送信しないようにするのに役立つことができ、従って、干渉を減らすのに役立ち、また隣接したネットワークの共存をサポートするのに役立つ。
【００４３】
図４は、本開示のある態様に従って、ピコネットと近くの端末との間の送信干渉を減らすために、同期パケット１２０が、ピコネット内の全ての非ＰＮＣ端末から送信されているのを例示する。例示されているように、ＰＮＣとして機能する端末（例えば、ＰＮＣ  １Ｅ及びＰＮＣ  ２Ａ）は、従来のビーコン信号を送信し続けることができる。
【００４４】
示されているように、各非ＰＮＣ端末（例えば、ＤＥＶ  １Ａ、ＤＥＶ  ２Ｘ等）は、同期パケット、即ち「同期パケット（sync packet）」を送信する。そのような同期パケットは、単独で、あるいは他の送信（例えば、データフレーム）の一部として送信されることができる。各端末は、単一の同期パケットを送信する場合と、あるいは複数の同期パケットを送信する場合がある。例えば、該端末は、ＰＮＣから割り当てられた（allocated）／割り当てられた（assigned）周波数／タイムスロットを受信した際に、同期パケットを送信でき、各スーパーフレームの間で同期パケットを送信でき、繰り返しの時間サイクルにおいて送信でき、固定スケジュールに従って、といったように送信することができる。
【００４５】
ある態様では、同期パケットは、様々な異なるタイプの物理層（ＰＨＹ）を有する端末にそれらの検出を可能にする方法（manner）で送られることができる。例えば、ＩＥＥＥ８０２．１５．３ｃは、様々なＰＨＹモードを定義し、そしてデバイスは、（たとえ、それらがＯＦＤＭモードで通常動作するとしても）他のデバイスによって検出可能であることができる単一キャリア（ＳＣ）を使用して、同期パケットを送信するように構成されることができる。そのような「統一」同期パケットはまた、異なるＰＨＹ層を有するネットワークとの共存を促進（promote）するのに役立つことができる。例えば、同期パケットは、ＩＥＥＥ８０２．１５に対応するデバイスとＩＥＥＥ８０２．１１に対応するデバイスの両方にそれらの検出を可能にする方法において、ＩＥＥＥ８０２．１５に対応するデバイスから送られることができる。ある態様では、ＩＥＥＥ８０２．１１のＰＨＹ及び媒体アクセス制御（ＭＡＣ）層を備えた、提案されたＩＥＥＥ８０２．１１  ＶＨＴ６０規格に対応するそれらのようなデバイスに、ＩＥＥＥ８０２．１５．３ｃシステム（及び、同様の帯域で動作する他のシステム）と共存すると同時に、高速スループットをもって６０ＧＨｚの周波数帯（一般に、５７−６６ｇＧＨｚ）で動作することを可能にすることができる。
【００４６】
ある態様では、各端末（例えば、ＰＮＣ機能を有する端末及びＰＮＣ機能を有しない端末）は、同期パケット及び/又はビーコン信号を求めてスキャンし、且つ検出するように構成されることができる。ある態様では、ＰＮＣ機能を有する端末のみが、同期パケット及び/又はビーコン信号を求めてスキャンし、且つ検出するように構成されることができる。何れにせよ、そのような同期情報を受信することによって、端末は、既存のピコネットについて知ることができる。更に、該受信する端末は、既存のピコネットに干渉することを回避するために同期情報を使用することができる。
【００４７】
例えば、図４を参照すると、ＰＮＣ  ２Ａは、ＤＥＶ  １Ｃ及び/又はＤＥＶ  １Ｄによって送信された同期パケット１２０を受信することができる。これらの同期パケットが、ピコネット１についての資源の割り当て及びタイミングに関する同期情報を含むことができるので、ＰＮＣ  ２Ａは、ピコネット１内のデバイスに干渉を引き起こすであろう送信を回避することができる。例えば、ＰＮＣ  ２Ａは、ＤＥＶ  ２Ｘ及びＤＥＶ  ２Ｙへ／からの送信を、ピコネット１内で割り当てられた周波数／タイムスロットを回避するように制御することができ、それによってピコネット１との何れの干渉を減らすあるいは排除している。これを達成するために、ＰＮＣ  ２Ａは、そのタイミングをＰＮＣ１のタイミングと同期することができる。
【００４８】
図５は、本開示のある態様に従って、統一同期パケットを送信するためのオペレーション５００を例示するフロー図である。図５は、例えば、ピコネットに含まれる非ＰＮＣデバイスによって、行なわれるオペレーションを例示している。
【００４９】
例示のために、オペレーションは、図４に例示された例と関連付けて下に記述される。オペレーションは５１０において始まり、そこで非ＰＮＣ端末は、ピコネット内の送信資源の割り当てを受信する。例えば、ＤＥＶ  １Ｃは、ＰＮＣ  １Ｅからピコネット１内の周波数/タイムスロットの割り当てを受信することができる。
【００５０】
５２０においては、該端末は、ピコネット内の資源の割り当てに関する情報を含む統一同期パケットを送信することができる。統一同期パケットと、その形式、及びその中に含まれる情報の一例が、図８−１０を参照して下に記述される。
【００５１】
５３０においては、該端末は、５１０で受信した資源の割り当てに従って、送信を送ることができる。端末は、任意の適切な時に同期パケットを送ることができる。ある態様では、端末は、送信のための割り当ての受信時に、送信することができる。例えば、８０２．１５．３ｃのデバイスの場合には、各デバイスは、それが送信するための割り当て（例えば、ＡＣＫパケットのための割り当てを含む）を少なくとも初めて受信する時に、同期パケットを送ることができる。その結果、これらの同期パケットを受信するデバイスは、たとえそれらが該ピコネットのＰＮＣからビーコンを受信する範囲内になかったとしても、該ピコネットを認識することができる。
【００５２】
図６は、本開示のある態様に従って、統一同期パケットを処理するための実例的なオペレーションを例示する。例えば、図６のオペレーションは、同期パケットを送信した端末の既存のピコネットに含まれないＰＮＣデバイスによって行なわれることができる。
【００５３】
該オペレーションは、ＰＮＣが、既存のピコネットの１つ以上の端末デバイスから送られた統一同期パケットの検出を通じて既存のピコネットの存在について知った時に、６１０において開始する。例えば、図４を参照すると、ＰＮＣ  ２Ａは、ＤＥＶ  １Ｃ又はＤＥＶ  １Ｄによって送られた同期パケットを受信することができ、従って、ピコネット１の存在について知ることができる。
【００５４】
６２０では、該ＰＮＣは、統一同期パケットに含まれる情報に基づいて、既存のピコネットに対応するスーパーフレームの開始時間及び持続期間を決定する。該ＰＮＣは、ピコネット１と干渉する送信を送ることを回避するために、そのような同期情報を使用することができる。ある態様では、正確にいつ同期パケットを送るべきかという固定されたタイミング要件が、存在しないことがあり得る。従って、受信する端末に既存のピコネットの（スーパーフレームの開始のような）タイミング情報を決定することを可能にするために、同期パケットは、該同期パケットがいつ送られるかを示すタイムスタンプを含むことができる。タイムスタンプは、例えば、ビーコン信号が受信された時に、スーパーフレームの開始においてリセットされる内部カウンターに基づいて、同期パケットを送るデバイスによって生成されることができる。従って、同期パケットを受信するデバイスは、該タイムスタンプに基づいて、既存のピコネットのスーパーフレームの開始時間を決定することができる。
【００５５】
ある態様では、同期パケットを受信するＰＮＣは、既存のピコネットに「実質的に従属する」（一般に、ピコネットが、既存のピコネットの割り当てられた複数の資源の使用を回避することによって、既存のピコネットと共存できることを意味する）ピコネットを確立するために、その中に含まれる既存のピコネットに関する情報を使用することができる。該ＰＮＣは、例えば、任意のオペレーション６３０及び６４０を行うことによって、図７に例示されるピコネット２のような、実質的に従属するピコネットを確立することができる。
【００５６】
６３０では、該ＰＮＣは、統一同期パケット中で受信された情報に基づいて、既存のピコネット内のデバイスに割り当てられた資源を決定することができる。６４０では、該ＰＮＣは、既存のピコネット内に割り当てられていない資源を使用して、実質的に従属するピコネットを確立することができる。より詳細に下に記述されるように、同期パケットは、既存のピコネット内の端末に割り当てられた資源を示すチャネル時間割り当て（ＣＴＡ：Channel Time Allocation）情報要素（ＩＥｓ：information elements）を含むことができる。
【００５７】
例えば、図７を参照すると、ＰＮＣ  ２Ａは、ＤＥＶ  １Ｃ又はＤＥＶ  １Ｄによって送られた同期パケット１２０中の情報から、ピコネット１に関する資源の割り当て情報を決定することができる。その後、ＰＮＣ  ２Ａは、ピコネット１に既に割り当てられていない利用可能な資源を使用して、ピコネット１に実質的に従属するものとして、ピコネット２を確立することができる。
【００５８】
ある態様に従って、ＰＮＣは、実質上従属するピコネットの保守の一環として、干渉ゾーンをマップ（map）及びマスク（mask）するために、（同期パケットに含まれる）近隣のピコネットのＣＴＡ  ＩＥｓの周期的なスキャンを行なうことができる。例えば、これらの周期的なスキャンを通じて、該ＰＮＣは、既存のピコネット内の資源の割り当てへの変更について知ることができ、そして実質的に従属するピコネット内の資源の割り当てに、対応する調整を行うことができる。
【００５９】
図８は、同期パケットの実例的な形式８００を例示している。該形式は、ＩＥＥＥ８０２.１５.３ｃ規格に従って送られる同期フレーム（ビーコン信号）のために使用される同期フレーム形式と同一であるか、類似することができる。示されているように、同期フレーム形式８００は、ロング・プリアンブル、ヘッダー、ヘッダーチェック系列（ＨＣＳ）、パリティビットのセット、同期フレームボディ、及びフレーム・チェック系列（ＦＣＳ）を含むことができる。同期フレームボディは、既存のピコネット内で割り当てられた資源のインジケーション（indication）と同様に、既存のピコネットに関する同期情報を含むことができる。
【００６０】
図９は、同期パケットの同期フレームボディの実例的な形式を例示する。この例において、同期フレームボディ形式９００は、ＩＥＥＥ８０２.１５.３ｃ規格に従う同期フレーム形式と同一であるか、類似することができる。示されているように、同期フレームボディ形式９００は、同期パラメータとチャネル時間割り当て（ＣＴＡ）情報要素を含むことができる。例えば、ＣＴＡ情報要素は、ピコネットの各端末に割り当てられた周波数/タイムスロットを含むことができる。上に記述されたように、ＣＴＡ  ＩＥを受信するＰＮＣ機能を有するデバイスは、実質的に従属するピコネット内の端末への割り当てに利用可能な資源を識別するために、その中に含まれる情報を使用することができる。
【００６１】
図１０は、本開示のある態様に従って、同期パラメータに含まれることができる実例的なフィールド１０００を例示する。この例において、同期パラメータ１０００は、ＩＥＥＥ８０２.１５.３ｃ規格で同様に使用される、複数の特定のフィールドを含むことができる。例示されているように、同期パラメータ１０００は、スーパーフレーム番号、スーパーフレーム持続期間、競合アクセス期間(contention access period)（ＣＡＰ）終了時間、フレーム開始時間、リザーブ・フィールド、及びピコネット管理装置（ＰＮＣ）アドレスを含むことができる。
【００６２】
フレーム開始時間は、既存のピコネットにおけるスーパーフレームの開始と比較して（relative to）いつ同期パケットが送られたかを示す、上に記述されたタイムスタンプを含むことができる。例えば、ピコネット内の共通レート（ＣＲ）ビーコンは、スーパーフレームの開始（ｔ＝０）においてＰＮＣによって送信され、また非ＰＮＣ端末によって同期パケットを送るタイミングは、固定されていない（例えば、各デバイスは、それが送信するための割り当てを少なくとも初めて得る時にのみ、同期パケットを送ることを要求されることができる）ので、フレーム開始時間が導入されることができる。
【００６３】
このフィールドは、同期フレームにタイムスタンプを提供し、同期フレーム・プリアンブルの開始時間を指定する（marks）。従って、同期パケットを受信するＰＮＣは、フレーム・プリアンブルの開始を決定するためにこのタイムスタンプを使用することができ、そして次に、既存のピコネットとの干渉を回避するのに役立つ方法でデータ伝送をスケジュールすることができる。
【００６４】
従って、図７を参照すると、たとえＰＮＣ  ２Ａが、ＰＮＣ  １Ｅからのビーコン信号１１０を検出できなかったとしても、それは、ＤＥＶ  １Ｃ及びＤＥＶ  ２Ｃからの同期パケット１２０中の情報を使用し、それに応じてデータ伝送を同期させ、実質的に従属するピコネット（ピコネット２）を形成することができる。そうすることで、ＰＮＣ  ２Ａは、ピコネット１でのデータ伝送との干渉を回避する方法で、ピコネット２のメンバ（ＤＥＶ  ２Ｘ及びＤＥＶ  ２Ｙ）のために、データ伝送をスケジュールすることができる。
【００６５】
実例的なネットワークの検出及び同期 
図１１に例示されているように、候補ＰＮＣは、近隣のネットワークにおけるデバイスから送信された同期フレームを求めて周期的にスキャンすることができる。その時、候補ＰＮＣは、それ自身のタイミングへ同期するために、同期フレームに含まれるタイミング情報を使用することができる。例えば、候補ＰＮＣは、既存のピコネット内のデバイスに割り当てられた送信時間に対応する「干渉タイムスロット」を決定し、そしてこれらの干渉タイムスロットを回避しようとして、それ自身のピコネット内のデバイスに資源を割り当てることができる。実質的に従属するピコネットの場合がそうであるように、ネットワークが時間同期されたままである限り、干渉ゾーンは、時間領域において一定の状態に保たれるべきであり、また「干渉タイムスロット」は、各々の近隣のネットワーク構成要素のために指定されることができる。
【００６６】
図１２は、本開示のある態様に従って、同期フレームの送信をスケジュールするための実例的なオペレーションを例示する。例えば、該オペレーションは、近隣のピコネットを検出し、そして干渉を回避しようとしてそれ自身のピコネットのデバイスへの資源の割り当てを調整するために、ＰＮＣ又は候補ＰＮＣによって行なわれることができる。
【００６７】
該オペレーションは、ＰＮＣが、第１のピコネット内の第１のノードから、第１のピコネット内の資源の割り当てに関するタイミング情報を含む第１の同期パケットを受信することから、１２０２において開始する。１２０４においては、該ＰＮＣは、タイミング情報に基づいて、第１のピコネット内のノードのために割り当てられた送信時間に対応する干渉タイムスロットを決定する。１２０６においては、該ＰＮＣは、第１のピコネット内のノードのために割り当てられた送信時間に対応する決定された干渉タイムスロットに基づいて、第２のピコネット内のノードに利用可能な資源を割り当てることによって第２のピコネットを確立することができる。
【００６８】
このように、該ＰＮＣは、既存のピコネットにそのタイミングを同期させて実質的に従属するピコネットを形成するために、それが既存のピコネット内のデバイスから受信する同期パケットを利用することができる。
【００６９】
図１３に例示されているように、マルチプルな複数の実質的に従属するネットワークは、メッシュ・ネットワークを形成するために組み合わせられることができる。例示されている例では、ＰＮＣ３は、ＰＮＣ１のタイミングに同期するために、それがピコネット２内のデバイスから受信する同期パケットを利用して実質的に従属するピコネット３を形成している。
【００７０】
各ＰＮＣは、干渉を検出するために、それ自身のネットワーク内のデバイスの周期的なスキャンをスケジュールする及び／又は近隣のデバイスからの範囲を計算するために、近隣のネットワーク内のデバイスの同期パケットから受信されたデータを使用することができる。上に記述されたように、各ＰＮＣは、各ネットワーク構成要素のための「干渉タイムスロット」を決定し及びマップすることができる。次に、各ＰＮＣは、ピコネット間の干渉を回避する方法で、それ自身のピコネット内のデバイスのためにデータ伝送をスケジュールすることができる。
【００７１】
干渉ゾーンのない実質的に従属する又は独立したネットワークのメッシュ・ネットワークにおいて使用される帯域幅の合計は、次のように計算されることができる:
チャネル帯域幅*ネットワークの数
従属するネットワークで使用される帯域幅の合計は、チャネル帯域幅である。干渉ゾーンを有する実質的に従属するネットワークアレイのメッシュ・ネットワークで使用される帯域幅の合計は、次のように計算されることができる:
チャネル帯域幅*ネットワークの数−（干渉ゾーンの帯域幅の合計）
従って、干渉ゾーンを指定及び回避するために、ここに記述されたように同期パケットを利用することは、メッシュ・ネットワークにおける全体のチャネル帯域幅を増加することができる。
【００７２】
ネットワークの実例的な選択
ＰＮＣ候補は、それが２つ以上のピコネット内のデバイスから送信された同期パケットを受信する場合には、どのピコネットに参加するかを選択することができる。ある態様に従って、ＰＮＣ候補は、ＰＮＣアドレス・フィールドに基づいてネットワークを選択し、ＰＮＣアドレス・フィールドのより低い値を有するピコネットに参加することを選択することができる。このＰＮＣアドレス・フィールドのより低い値を有するピコネットに同期するための単純なアルゴリズムは、既存のピコネットのネットワーク制御装置に応用することができる。このシナリオでは、より高いアドレスを有するＰＮＣは、ＰＮＣアドレス・フィールドのより低い値を有するピコネットに同期するようにそのタイミング・パラメータを採用することができる。
【００７３】
ある態様に従って、ピコネットの形成中に同期パケットを求めてスキャンすることに加えて、ＰＮＣはまた、近隣のピコネットからの同期フレームを求めて周期的にスキャンすることができる。該ＰＮＣは、１つ以上の近隣のピコネットに関する干渉タイムスロットのそのマッピングを更新し、そしてそれ自身のデバイスに資源を割り当てる時に、これらの干渉タイムスロットを回避することができる。
【００７４】
デバイスは、ピコネットの存続期間において複数回ピコネットとタイミングを同期させることができる。複数回同期することは、ピコネット環境における動的な変化を考慮するように、デバイスがそのタイミングを調整することを可能にし、例えば、デバイスがネットワークのカバレッジエリア（coverage area）を出たり入ったりしている時の干渉における動的な変化などである。
【００７５】
同期パケットのタイムスタンプを用いた実例的な距離計算(ranging calculation)
上に記述されたように、ＰＮＣは、デバイスの相対的位置を決定するためのレンジング・オペレーション(ranging operations)を行なうために、同期フレームを利用することができる。図１４は、本開示のある態様に従って、同期パケットのタイムスタンプを用いた、実例的な距離計算を例示する。局Ａは、同期パケットに含まれる送信タイムスタンプと実際の受信時間との間の差から、移動時間（ｔ’）を計算するために、受信されたタイミング情報を使用することができる:
ｔ’＝ｔ２ ｒｘ−ｔ２ ｔｘ（スタンプ）
例示的な例として、２.５Ｇｓｐｓのサンプル・レートを仮定して、この計算は、＋／−６ｃｍの距離精度（range accuracy）を産出することができ、それは、多くの目的（局の距離適合(station range adaptation)を行なうため等）に十分すぎるほどであることができる。
【００７６】
そのようなレンジング・オペレーションのための１つの実例的な用途は、無線映像配信を含む。無線映像配信システムは、適切なパフォーマンス及び信頼性を提供しながら、映像配信のための標準的なケーブル送信に取って代わることを目指すことができる。
【００７７】
ある態様に従って、ここに示されているレンジング技術は、無線映像ソースと無線映像宛先の間の距離に対して、無線配信された映像の帯域幅又は解像度のうちの少なくとも１つ（即ち、１つ又は両方）をアダプトするために使用されることができる。図１５に例示されているように、１５０２においては、無線配信された映像を受信する宛先ノードのためにレンジング・オペレーションが行われることができる。１５０４においては、レンジング・オペレーションの結果に基づいて、無線配信された映像の帯域幅又は解像度のうちの少なくとも１つが調整されることができる。
【００７８】
例えば、距離適合(range adaptation)は、有線ＨＤＭＩケーブルと同様のユーザ経験を提供するために、無線映像ソースと宛先が近接している（例えば、見通し内（Line of Site））時に、フォアグラウンド非圧縮高解像度映像表示（foreground uncompressed high definition video display）を選択するために使用されることができる。そのような距離適合アルゴリズムは、無線映像ソースと宛先がほぼ見通し内（Near Line of Site）(例えば、室内)まで引き離されている時に、より低い解像度への切り替えを制御することができる。そのような距離適合アルゴリズムはまた、例えば、無線映像ソース及び宛先が、ホーム（home）内での映像配信のために同じ部屋にない（例えば、見通し外（non line of site））時には、より低い帯域幅／より低い解像度のためのバックグラウンド処理を動作することができる。
【００７９】
映像ソースが、映像宛先と近接している時には（ほぼ見通し内）、それは（例えば、表示及び／又は格納のために）映像宛先に映像をストリーム（stream）するために、最大限の帯域幅を使用するように構成されることができる。その結果、ユーザは、表示に関する最高の解像度及び／又は最速の同期する時間（syncing time）を享受することができる。映像ソースが宛先から更に離れる場合には、画面解像度はより下げることができ、及び／又は映像転送は、より低い帯域幅を使用するバックグラウンド処理にシームレス（seamlessly）に切り替えることができる。
【００８０】
上に記述されたレンジング技術は、同期パケット中のタイムスタンプに基づいて、映像ソースに対する映像宛先の近接性を決定するために使用されることができる一方で、その他任意の適切なレンジング技術もまた使用されることができ、そして配信映像の帯域幅及び／又は解像度は、それに応じて適合(adapt)されることができる。
【００８１】
上に記述された方法の様々なオペレーションは、対応する機能を行なうことが可能な任意の適切な手段によって行なわれことができる。該手段は、限定はされないが、回路、特定用途向け集積回路（ＡＳＩＣ）又はプロセッサを含む様々なハードウェア及び／又はソフトウェアの（１つ又は複数の）構成要素及び／又は（１つ又は複数の）モジュールを含むことができる。一般に、図面において例示されているオペレーションがあるところでは、それらのオペレーションは、同様の番号付けを持つ対応するミーンズ−プラス−ファンクション（means-plus-function）構成要素を有することができる。例えば、図５、６及び１２で例示された、ブロック５１０−５３０、６１０−６４０、１２０２−１２０６及び１５０２−１５０４は、図５Ａ、６Ａ及び１２Ａで例示された、回路ブロック５１０Ａ−５３０Ａ、６１０Ａ−６４０Ａ、１２０２Ａ−１２０６Ａ及び１５０２Ａ−１５０４Ａに対応する。
【００８２】
ここに使用されるように、「決定する(determining)」という用語は、幅広い様々な動作を包含する。例えば、「決定する」は、演算すること、計算すること、処理すること、導出すること、調査すること、検索すること（例えば、テーブル、データベース、又は別のデータ構造において検索すること）、確かめること、及びそれに類することを含むことができる。また、「決定する」は、受信すること（例えば、情報を受信すること）、アクセスすること（例えば、メモリ中のデータにアクセスすること）、及びそれに類することを含むことができる。また、「決定する」は、決めること（resolving）、選択すること（selecting）、選ぶこと（choosing）、確定すること（establishing）、及びそれに類することを含むことができる。
【００８３】
ここで使用されるように、「Ａ又はＢのうちの少なくとも１つ」という用語は包括的であるように意図される。言い換えれば、「Ａ又はＢのうちの少なくとも１つ」は、次のセット｛Ａ｝、｛Ｂ｝、及び｛Ａ及びＢ｝を含む。
【００８４】
上に記述された方法の様々なオペレーションは、様々なハードウェア及び／又はソフトウェアの（１つ又は複数の）構成要素及び／又は（１つ又は複数の）モジュールのような、該オペレーションを行うことができる任意の適切な手段によって行われることができる。一般に、図面において例示された任意のオペレーションは、該オペレーションを行うことが可能な対応する機能手段によって行われることができる。
【００８５】
本開示に関連して記述された、及び以下の請求項に記載される、様々な例示的な、論理ブロック、モジュール及び回路は、汎用プロセッサ、デジタル信号プロセッサ（ＤＳＰ）、特定用途向け集積回路（ＡＳＩＣ）、フィールド・プグラマブル・ゲート・アレイ（ＦＰＧＡ）又は他のプログラマブル・ロジック・デバイス（ＰＬＤ）、個別のゲート又はトランジスタ・ロジック、個別のハードウェア構成機器、あるいはここに記述された機能を行うために設計されたそれらの任意の組み合わせによってインプリメントされる又は行われることができる。汎用プロセッサは、マイクロプロセッサであることができるが、その代わりにおいて、該プロセッサは、何れの商業的に利用可能なプロセッサ、制御装置、マイクロ制御装置又はステート・マシンであることができる。プロセッサはまた、例えば、ＤＳＰとマイクロプロセッサの組み合わせ、複数のマイクロプロセッサ、ＤＳＰのコアと結合している１つ以上のマイクロプロセッサ、あるいはその他任意の同様な構成等の、コンピューティング・デバイスの組み合わせとしてインプリメントされることができる。
【００８６】
本開示に関連して記述されるアルゴリズム又は方法のステップは、直接ハードウェアにおいて、プロセッサによって実行されるソフトウェア・モジュールにおいて、あるいは２つの組み合わせにおいて具体化（embodied）されることができる。ソフトウェア・モジュールは、当該技術分野において知られている任意の形状の記憶媒体に常駐（reside）することができる。使用されることができる記憶媒体の一部の例には、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ等が含まれる。ソフトウェア・モジュールは、単一の命令、又は多くの命令を具備することができ、幾つかの異なるコード・セグメントにわたって、異なるプログラム間で、及び複数の記憶媒体にわたって、分散されることができる。記憶媒体は、プロセッサが記憶媒体から情報を読み、またそれに情報を書くことができるように、プロセッサに結合されることができる。代わりにおいて、該記憶媒体はプロセッサに統合されることができる。
【００８７】
ここに開示された複数の方法は、記述された方法を成し遂げるための１つ以上のステップ又は動作を具備する。方法のステップ及び／又は動作は、請求項の範囲から逸脱することなくお互い置き換えられることができる。言い換えれば、ステップ又は動作の特定の順序が指定されない限り、特定のステップ及び／又は動作の順序及び／又は使用は、請求項の範囲から逸脱することなく変更されることができる。
【００８８】
該機能は、ハードウェア、ソフトウェア、ファームウェア又はそれらの任意の組み合わせにおいてインプリメントされることができる。ソフトウェアにおいてインプリメントされる場合には、該機能は、コンピュータ可読媒体上に１つ以上の命令として格納されることができる。記憶媒体は、コンピュータによってアクセスされることができる任意の利用可能な媒体であることができる。限定としてではなく、例として、そのようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置のデバイス、あるいはデータ構造又は命令の形式で望ましいプログラムコードを格納する又は運ぶために使用されることができ、またコンピュータによってアクセスされることができるその他任意の記憶媒体を具備することができる。ここで使用されるディスク（Disk）及びディスク（disc）は、コンパクト・ディスク（ＣＤ）、レーザーディスク（登録商標）、光ディスク、デジタル多目的ディスク（ＤＶＤ）、フロッピー（登録商標）ディスク、及びブルーレイ（登録商標）ディスクを含み、ここでディスク（disks）は、通常磁気的にデータを再生し、一方ディスク（discs）は、レーザーを用いて光学的にデータを再生する。
【００８９】
従って、ある態様は、ここに開示されたコンピュータプログラム製品を具備することができる。例えば、そのようなコンピュータプログラム製品は、その上に格納された（及び／又は符号化された）命令を有するコンピュータ可読媒体を含むことができ、該命令は、ここに記述されたオペレーションを行うために1つ以上のプロセッサによって実行可能である。ある態様では、コンピュータプログラム製品は、パッケージング・マテリアル（packaging material）を含むことができる。
【００９０】
ソフトウェアあるいは命令はまた、送信媒体上で送信されることができる。例えば、ソフトウェアが、同軸ケーブル、光ファイバーケーブル、ツイストペア、デジタル加入者回線（ＤＳＬ）、あるいは赤外線、電波、及びマイクロ波のような無線技術を用いてウェブサイト、サーバ、又は他のリモートソースから送信される場合には、同軸ケーブル、光ファイバーケーブル、ツイストペア、ＤＳＬ、あるいは赤外線、電波、及びマイクロ波のような無線技術は、送信媒体の定義に含まれる。
【００９１】
更に、ここに記述された方法及び技術を行うためのモジュール及び／又は他の適切な手段は、場合に応じて、ダウンロード及び／又は別の方法でユーザ端末及び／又は基地局によって得られることができる。例えば、そのようなデバイスは、ここに記述された方法を行う手段の転送（transfer）を容易にするために、サーバに結合されることができる。あるいは、ここに記述された様々な方法は、デバイスに記憶手段を提供する又は結合する際に、ユーザ端末及び／又は基地局が、様々な方法を得ることができるように、記憶手段（例えば、ＲＡＭ、ＲＯＭ、コンパクト・ディスク（ＣＤ）又はフロッピー（登録商標）ディスクのような物理的記憶媒体等）によって提供されることができる。その上、ここに記述された方法及び技術をデバイスに提供するその他任意の適切な技術が利用されることができる。
【００９２】
請求項は、上記に例示された明確な構成及び構成要素に限定されないことが理解されるべきである。様々な修正、変更、及び変化が、上に記述された方法及び装置に関する配置、オペレーション及び詳細において、請求項の範囲から逸脱することなく行われることができる。
以下に、本願出願の当初の特許請求の範囲に記載された発明を付記する。
［付記１］
下記を具備する、無線通信の方法：
第１のピコネット内の第１のノードから、前記第１のピコネット内の複数の資源の割り当てに関するタイミング情報を含む第１の同期パケットを受信すること；
前記タイミング情報に基づいて、前記第１のピコネット内の複数のノードのために割り当てられた複数の送信時間に対応する複数の干渉タイムスロットを決定すること；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立すること。
［付記２］
更に下記を具備する、付記１に記載の方法：
前記第１のピコネット内の複数の送信との潜在的な干渉を検出するために、前記第２のピコネット内の複数のノードからの複数の送信を周期的にモニターすること；及び
前記第１のピコネット内の複数の送信との干渉を回避するために前記第２のピコネット内の前記複数の資源の割り当てを調整すること。
［付記３］
更に下記を具備する、付記１に記載の方法：
第３のピコネット内の１つ又は複数のノードから、前記第３のピコネット内の複数の資源の割り当てに関するタイミング情報を含む複数の同期パケットを受信すること；
前記第３のピコネットに関連する前記タイミング情報に基づいて、前記第３のピコネット内の前記複数のノードのために割り当てられた複数の送信時間に対応する複数の干渉タイムスロットを決定すること；及び
前記第３のピコネット内の前記複数のノードのために割り当てられた複数の送信時間に対応する前記複数の決定された干渉タイムスロットに基づいて、前記第２のピコネット内の前記複数の資源の割り当てを調整すること。
［付記４］
前記第１及び第３のピコネット内の複数のノードから受信された複数の同期パケットに含まれる対応する複数のピコネット管理装置（ＰＮＣ）アドレス値に基づいて、前記第１のピコネットのＰＮＣのタイミングに同期するか、又は前記第３のピコネットのＰＮＣのタイミングに同期するかを選択することを更に具備する、付記３に記載の方法。
［付記５］
前記第１のノードは、ピコネット管理装置（ＰＮＣ）として機能していないノードを具備する、付記１に記載の方法。
［付記６］
前記第１のノードは、アクセス端末を具備する、付記１に記載の方法。
［付記７］
前記第１の同期パケットは、前記第１のピコネット内で送信されるフレームのプリアンブルの開始時間を示すタイムスタンプを具備する、付記１に記載の方法。
［付記８］
更に下記を具備する、付記７に記載の方法：
前記第１の同期パケットが受信された時間と前記タイムスタンプによって示される時間との間の差に基づいて、複数のレンジング・オペレーションを行うこと。
［付記９］
下記を具備する、無線通信のための装置：
第１のピコネット内の第１のノードから、前記第１のピコネット内の複数の資源の割り当てに関するタイミング情報を含む第１の同期パケットを受信するように構成される受信機；
前記タイミング情報に基づいて、前記第１のピコネット内の複数のノードのために割り当てられた複数の送信時間に対応する複数の干渉タイムスロットを決定するように構成されるスケジューラ；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立するように構成されるロジック。
［付記１０］
更に下記を具備する、付記９に記載の装置：
前記第１のピコネット内の複数の送信との潜在的な干渉を検出するために前記第２のピコネット内の複数のノードからの複数の送信を周期的にモニターし、前記第１のピコネット内の複数の送信との干渉を回避するために前記第２のピコネット内の前記複数のリソースの割り当てを調整するように構成されるロジック。
［付記１１］
前記受信機は、第３のピコネット内の１つ又は複数のノードから、前記第３のピコネット内の複数の資源の割り当てに関するタイミング情報を含む複数の同期パケットを受信するように更に構成され、
前記スケジューラは、前記第３のピコネットに関連する前記タイミング情報に基づいて、前記第３のピコネット内の前記複数のノードのために割り当てられた複数の送信時間に対応する複数の干渉タイムスロットを決定するように構成され、及び
前記装置は、前記第３のピコネット内の前記複数のノードのために割り当てられた複数の送信時間に対応する前記複数の決定された干渉タイムスロットに基づいて、前記第２のピコネット内の前記複数の資源の割り当てを調整するように構成されるロジックを更に具備する、付記９に記載の装置。
［付記１２］
前記第１及び第３のピコネット内の複数のノードから受信された複数の同期パケットに含まれる対応する複数のピコネット管理装置（ＰＮＣ）アドレス値に基づいて、前記第１のピコネットのＰＮＣのタイミングに同期するか、又は前記第３のピコネットのＰＮＣのタイミングに同期するかを選択するように構成されるロジックを更に具備する、付記３に記載の装置。
［付記１３］
前記第１のノードは、ピコネット管理装置（ＰＮＣ）として機能していないノードを具備する、付記１に記載の装置。
［付記１４］
前記第１のノードは、アクセス端末を具備する、付記１に記載の装置。
［付記１５］
前記第１の同期パケットは、前記第１のピコネット内で送信されるフレームのプリアンブルの開始時間を示すタイムスタンプを具備する、付記１に記載の装置。
［付記１６］
更に下記を具備する、付記７に記載の装置：
前記第１の同期パケットが受信された時間と前記タイムスタンプによって示される時間との間の差に基づいて、複数のレンジング・オペレーションを行うように構成されるレンジング・ロジック。
［付記１７］
下記を具備する、無線通信のための装置：
第１のピコネット内の第１のノードから、前記第１のピコネット内の複数の資源の割り当てに関するタイミング情報を含む第１の同期パケットを受信する手段；
前記タイミング情報に基づいて、前記第１のピコネット内の複数のノードのために割り当てられた複数の送信時間に対応する複数の干渉タイムスロットを決定する手段；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立する手段。
［付記１８］
更に下記を具備する、付記１７に記載の装置：
前記第１のピコネット内の複数の送信との潜在的な干渉を検出するために、前記第２のピコネット内の複数のノードからの複数の送信を周期的にモニターする手段；及び
前記第１のピコネット内の複数の送信との干渉を回避するために前記第２のピコネット内の前記複数の資源の割り当てを調整する手段。
［付記１９］
更に下記を具備する、付記１７に記載の装置：
第３のピコネット内の１つ又は複数のノードから、前記第３のピコネット内の複数の資源の割り当てに関するタイミング情報を含む複数の同期パケットを受信する手段；
前記第３のピコネットに関連する前記タイミング情報に基づいて、前記第３のピコネット内の前記複数のノードのために割り当てられた複数の送信時間に対応する複数の干渉タイムスロットを決定する手段；及び
前記第３のピコネット内の前記複数のノードのために割り当てられた複数の送信時間に対応する前記複数の決定された干渉タイムスロットに基づいて、前記第２のピコネット内の前記複数の資源の割り当てを調整する手段。
［付記２０］
前記第１及び第３のピコネット内の複数のノードから受信された複数の同期パケットに含まれる対応する複数のピコネット管理装置（ＰＮＣ）アドレス値に基づいて、前記第１のピコネットのＰＮＣのタイミングに同期するか、又は前記第３のピコネットのＰＮＣのタイミングに同期するかを選択する手段を更に具備する、付記１９に記載の装置。
［付記２１］
前記第１のノードは、ピコネット管理装置（ＰＮＣ）として機能していないノードを具備する、付記１７に記載の装置。
［付記２２］
前記第１のノードは、アクセス端末を具備する、付記１７に記載の装置。
［付記２３］
前記第１の同期パケットは、前記第１のピコネット内で送信されるフレームのプリアンブルの開始時間を示すタイムスタンプを具備する、付記１７に記載の装置。
［付記２４］
更に下記を具備する、付記２３に記載の装置：
前記第１の同期パケットが受信された時間と前記タイムスタンプによって示される時間との間の差に基づいて、複数のレンジング・オペレーションを行う手段。
［付記２５］
下記を具備する、ピコネット管理装置（ＰＮＣ）の役割を引き受けることが可能な無線ノード：
少なくとも１つのアンテナ；
第１のピコネット内の第１のノードから、前記第１のピコネット内の複数の資源の割り当てに関するタイミング情報を含む第１の同期パケットを、前記少なくとも１つのアンテナを介して受信するように構成される受信機；
前記タイミング情報に基づいて、前記第１のピコネット内の複数のノードのために割り当てられた複数の送信時間に対応する複数の干渉タイムスロットを決定するように構成されるスケジューラ；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立するように構成されるロジック。
［付記２６］
下記のために実行可能な複数の命令を備えたコンピュータ可読媒体を具備する、無線通信のためのコンピュータプログラム製品：
第１のピコネット内の第１のノードから、前記第１のピコネット内の複数の資源の割り当てに関するタイミング情報を含む第１の同期パケットを受信する；
前記タイミング情報に基づいて、前記第１のピコネット内の複数のノードのために割り当てられた複数の送信時間に対応する複数の干渉タイムスロットを決定する；及び
前記第１のピコネット内の前記複数のノードのために割り当てられた複数の送信時間に対応する前記複数の決定された干渉タイムスロットに基づいて、第２のピコネット内の複数のノードに複数の利用可能な資源を割り当てることによって前記第２のピコネットを確立する。
［付記２７］
下記を具備する、無線通信の方法：
無線配信された映像を受信する宛先ノードのために複数のレンジング・オペレーションを行うこと；及び
前記複数のレンジング・オペレーションの複数の結果に基づいて、前記無線配信された映像の帯域幅又は解像度のうちの少なくも１つを調整すること。
［付記２８］
複数のレンジング・オペレーションを行うことは下記を具備する、付記２７に記載の方法：
前記宛先ノードから、同期パケットの送信時間を示すタイムスタンプを含む前記同期パケットを受信すること；及び
前記同期パケットが受信された時間と前記タイムスタンプによって示される時間との間の差に基づいて、結果を計算すること。
［付記２９］
前記調整することは下記を具備する、付記２７に記載の方法：
前記複数のレンジング・オペレーションの前記複数の結果が、無線映像ソースと前記宛先ノードが互いに相対的に近接していることを示す場合には、前記無線配信された映像の前記解像度を増加すること。
［付記３０］
前記調整することは下記を具備する、付記２７に記載の方法：
前記複数のレンジング・オペレーションの前記複数の結果が、無線映像ソースと前記宛先ノードが互いに相対的に近接していないことを示す場合には、前記無線配信された映像の前記解像度を減少すること。
［付記３１］
下記を具備する、無線通信のための装置：
無線配信された映像を受信する宛先ノードのために複数のレンジング・オペレーションを行うように構成されるレンジング・ロジック；及び
前記複数のレンジング・オペレーションの複数の結果に基づいて、前記無線配信された映像の帯域幅又は解像度のうちの少なくも１つを調整するように構成される調整ロジック。
［付記３２］
前記レンジング・ロジックは下記のように構成される、付記３１に記載の装置：
前記宛先ノードから、同期パケットの送信時間を示すタイムスタンプを含む前記同期パケットを受信する；及び
前記同期パケットが受信された時間と前記タイムスタンプによって示される時間との間の差に基づいて、結果を計算する。
［付記３３］
前記調整ロジックは下記のように構成される、付記３１に記載の装置：
前記複数のレンジング・オペレーションの前記複数の結果が、無線映像ソースと前記宛先ノードが互いに相対的に近接していることを示す場合には、前記無線配信された映像の前記解像度を増加する。
［付記３４］
前記調整ロジックは下記のように構成される、付記３１に記載の装置：
前記複数のレンジング・オペレーションの前記複数の結果が、無線映像ソースと前記宛先ノードが互いに相対的に近接していないことを示す場合には、前記無線配信された映像の前記解像度を減少する。
［付記３５］
下記を具備する、無線通信のための装置：
無線配信された映像を受信する宛先ノードのために複数のレンジング・オペレーションを行う手段；及び
前記複数のレンジング・オペレーションの複数の結果に基づいて、前記無線配信された映像の帯域幅又は解像度のうちの少なくも１つを調整する手段。
［付記３６］
前記レンジングを行う手段は下記のように構成される、付記３５に記載の装置：
前記宛先ノードから、同期パケットの送信時間を示すタイムスタンプを含む前記同期パケットを受信する；及び
前記同期パケットが受信された時間と前記タイムスタンプによって示される時間との間の差に基づいて、結果を計算する。
［付記３７］
前記レンジングを行う手段は下記のように構成される、付記３５に記載の装置：
前記複数のレンジング・オペレーションの前記複数の結果が、無線映像ソースと前記宛先ノードが互いに相対的に近接していることを示す場合には、前記無線配信された映像の前記解像度を増加する。
［付記３８］
前記調整する手段は下記のように構成される、付記３５に記載の装置：
前記複数のレンジング・オペレーションの前記複数の結果が、無線映像ソースと前記宛先ノードが互いに相対的に近接していないことを示す場合には、前記無線配信された映像の前記解像度を減少する。
［付記３９］
下記を具備する、無線映像ソース：
少なくとも１つのアンテナ；
無線配信された映像を受信する宛先ノードのために、前記少なくとも１つのアンテナを介して受信された複数のパケットに基づいて、複数のレンジング・オペレーションを行うように構成されるレンジング・ロジック；及び
前記複数のレンジング・オペレーションの複数の結果に基づいて、前記無線配信された映像の帯域幅又は解像度のうちの少なくも１つを調整するように構成される調整ロジック。
［付記４０］
下記のために実行可能な複数の命令を備えたコンピュータ可読媒体を具備する、無線通信のためのコンピュータプログラム製品：
無線配信された映像を受信する宛先ノードのために複数のレンジング・オペレーションを行う；及び
前記複数のレンジング・オペレーションの複数の結果に基づいて、前記無線配信された映像の帯域幅又は解像度のうちの少なくも１つを調整する。
【図１】
0005362841.tif 000002
【図２】
0005362841.tif 000003
【図３】
0005362841.tif 000004
【図４】
0005362841.tif 000005
【図５】
0005362841.tif 000006
【図５Ａ】
0005362841.tif 000007
【図６】
0005362841.tif 000008
【図６Ａ】
0005362841.tif 000009
【図７】
0005362841.tif 000010
【図８】
0005362841.tif 000011
【図９】
0005362841.tif 000012
【図１０】
0005362841.tif 000013
【図１１】
0005362841.tif 000014
【図１２】
0005362841.tif 000015
【図１２Ａ】
0005362841.tif 000016
【図１３】
0005362841.tif 000017
【図１４】
0005362841.tif 000018
【図１５】
0005362841.tif 000019
【図１５Ａ】
0005362841.tif 000020